(57)【要約】【課題】高所作業装置に設けられた伸縮脚装置における伸縮ロック機構を操作するための操作装置を提供する。【解決手段】伸縮脚(32)の摺動方向に延設された溝部(35)に設けられた多数のラック歯(38a)に対して主脚(31)の下端近傍に配設された係止レバー(42)の係止歯(41)を係脱させる伸縮ロック機構(40)を操作する操作装置(49)であり、操作装置(49)は、前記伸縮脚(32)の溝部の開口側に位置して前記ラック歯に干渉しないように形成されたガイド通路(37)に長尺の操作体(39)を摺動自在に嵌挿し、前記伸縮脚の上端部よりも上方位置まで延びる該操作体の上端部に設けられた手動部(50)と、前記係止レバーに臨む位置まで延びる該操作体の下端部に設けられた従動部(51)を備えており、前記手動部(50)を介して操作体をガイド通路に沿って上下方向に摺動したとき、前記従動部(51)により前記係止レバー(42)を揺動するように構成されている。【選択図】図６
2018012922.tif 000002
【特許請求の範囲】
【請求項１】
高所作業装置の主脚に沿って摺動自在な伸縮脚を設けた伸縮脚装置において、伸縮ロック機構と、該伸縮ロック機構を作動させる操作装置を備えており、
前記伸縮ロック機構(40)は、前記伸縮脚(32)の摺動方向に延設された溝部(35)に設けられた多数のラック歯(38a)と、前記主脚の下端近傍の固定部に配設されると共に前記ラック歯に係脱自在な係止歯(41)を備えた係止レバー(42)とから成り、前記係止レバーの揺動を介して前記係止歯を前記ラック歯に係脱させるように構成されており、
前記操作装置(49)は、前記伸縮脚(32)の溝部の開口側に位置して前記ラック歯に干渉しないように形成されたガイド通路(37)と、該ガイド通路に摺動自在に嵌挿された長尺の操作体(39)とから構成され、
前記操作体(39)は、前記伸縮脚の上端部よりも上方位置まで延びる該操作体の上端部に設けられた手動部(50)と、前記係止レバーに臨む位置まで延びる該操作体の下端部に設けられた従動部(51)を備えており、
前記手動部(50)を介して操作体をガイド通路に沿って上下方向に摺動したとき、前記従動部(51)により前記係止レバー(42)を揺動するように構成されて成ることを特徴とする伸縮脚装置における伸縮ロック機構の操作装置。
【請求項２】
前記係止レバー(42)の揺動方向に関して、前記係止歯(41)をラック歯(38a)に係止させる正転方向に該係止レバーを弾発付勢するスプリング(45)を設けており、
前記操作装置(49)の従動部(51)は、操作体(39)を上下方向に摺動したとき、前記スプリングに抗して係止レバー(42)を逆転方向に揺動するように構成されて成ることを特徴とする請求項１に記載の伸縮脚装置における伸縮ロック機構の操作装置。
【請求項３】
高所作業装置の主脚に沿って摺動自在な伸縮脚を設けた伸縮脚装置において、伸縮ロック機構と、該伸縮ロック機構を作動させる操作装置を備えており、
前記伸縮ロック機構(40)は、前記伸縮脚(32)の摺動方向に延設された溝部(35)に設けられた多数のラック歯(38a)と、前記主脚の下端近傍の固定部に配設されると共に前記ラック歯に係脱自在な係止歯(41)を備えた係止レバー(42)により構成され、前記係止レバーは、前記固定部に枢軸(44)を介して揺動自在に軸支され、スプリング(45)を介して前記係止歯をラック歯に係止させる正転方向に弾発付勢されると共に、上向きの力を受けたとき該係止レバーを逆転させる上動時解除部(42a)を設けており、
前記操作装置(49)は、前記伸縮脚(32)の溝部の開口側に位置して前記ラック歯に干渉しないように形成されたガイド通路(37)と、該ガイド通路に摺動自在に嵌挿された長尺の操作体(39)とから構成され、
前記操作体(39)は、前記伸縮脚の上端部よりも上方位置まで延びる該操作体の上端部に設けられた手動部(50)と、前記係止レバーに臨む位置まで延びる該操作体の下端部に設けられた従動部(51)を備えており、
前記従動部(51)は、前記係止レバーの枢軸(44)の下側に臨む空間部(61)と、前記係止レバーの上動時解除部(42a)の下側に臨む押上作動部(62a)を備え、前記手動部(50)を介して操作体をガイド通路に沿って上向きに摺動したとき、前記空間部(61)が枢軸(44)に対して上動すると共に、前記押上作動部(62a)が上動時解除部(42a)を押上げることにより係止レバー(42)を逆転させるように構成されて成ることを特徴とする伸縮脚装置における伸縮ロック機構の操作装置。
【請求項４】
高所作業装置の主脚に沿って摺動自在な伸縮脚を設けた伸縮脚装置において、伸縮ロック機構と、該伸縮ロック機構を作動させる操作装置を備えており、
前記伸縮ロック機構(40)は、前記伸縮脚(32)の摺動方向に延設された溝部(35)に設けられた多数のラック歯(38a)と、前記主脚の下端近傍の固定部に配設されると共に前記ラック歯に係脱自在な係止歯(41)を備えた係止レバー(42)により構成され、前記係止レバーは、前記固定部に枢軸(44)を介して揺動自在に軸支され、スプリング(45)を介して前記係止歯をラック歯に係止させる正転方向に弾発付勢されると共に、下向きの力を受けたとき該係止レバーを逆転させる下動時解除部(42b)を設けており、
前記操作装置(49)は、前記伸縮脚(32)の溝部の開口側に位置して前記ラック歯に干渉しないように形成されたガイド通路(37)と、該ガイド通路に摺動自在に嵌挿された長尺の操作体(39)とから構成され、
前記操作体(39)は、前記伸縮脚の上端部よりも上方位置まで延びる該操作体の上端部に設けられた手動部(50)と、前記係止レバーに臨む位置まで延びる該操作体の下端部に設けられた従動部(51)を備えており、
前記従動部(51)は、前記係止レバーの下動時解除部(42b)の上側に臨む押下作動部(62b)を備え、前記手動部(50)を介して操作体をガイド通路に沿って上向きに摺動したとき、前記押下作動部(62b)が下動時解除部(42b)を押下げることにより係止レバー(42)を逆転させるように構成されて成ることを特徴とする伸縮脚装置における伸縮ロック機構の操作装置。
【発明の詳細な説明】
【技術分野】
【０００１】
本発明は、脚立や、作業台や、梯子等の高所作業装置に設けられた伸縮脚装置における伸縮ロック機構を操作するための操作装置に関する。
【背景技術】
【０００２】
従来、脚立等の高所作業装置における伸縮脚装置は、主脚と、該主脚に沿って摺動自在な伸縮脚とから成り、前記伸縮脚に前記摺動方向に列設された多数のラック歯を設けると共に、前記主脚に取付けたブラケットに前記ラック歯に対し係脱自在に係止する係止歯を備えた係止レバーを設け、これにより伸縮ロック機構を構成している。
【０００３】
そこで、伸縮ロック機構の係止を解除し、伸縮脚を摺動することにより、脚体を所定の長さとした状態で、伸縮ロック装置を再び係止すれば、作業者の搭乗位置を所望の高さとした状態で高所作業を行うことができる。
【０００４】
例えば、脚立の場合、一般的に、図１及び図２に示すように構成されており、左右に配置される第１脚体１ａと第２脚体１ｂを備え、両脚体１ａ、１ｂの上端部を相互に枢結手段（図示省略）により枢結することにより、開閉可能に構成され、開いた状態で連結される係脱自在な開き止め装置２を設けている。
【０００５】
第１脚体１ａ及び第２脚体１ｂは、それぞれ一対の脚柱１ｃ、１ｃの間に天板３を設けると共に、最下位の桟部材４ａと上方の踏桟４ｂを含む複数の桟を架設することにより梯子状に形成され、各脚柱１ｃは、主脚５と、該主脚５に摺動自在に嵌挿された伸縮脚６とから成る伸縮脚装置を構成している。
【０００６】
図２に示すように、伸縮脚６には、前記摺動方向に列設された多数のラック歯７ａを有する帯状のラック７が設けられており、主脚５には、該主脚５の下端近傍に固定された固定部８から前記ラック７の歯７ａに係脱自在に係止する係止レバー１４を設け、これにより伸縮ロック機構９が構成されている。固定部８は、最下位の桟部材４ａと、該桟部材４ａを主脚５に固定する最下位のブラケット１０ａの両者又は何れか一方により構成されている。
【０００７】
前記主脚５、伸縮脚６、桟部材４ａ、踏桟４ｂは、それぞれアルミニウムの押出材により形成されている。前記主脚５は、前記脚柱１ｃの内側に向けて開口する断面溝形の溝形部材により形成され、下端部にガイド筒体１１を固着しており、前記伸縮脚４ａは、前記ガイド筒体１１を挿通して主脚５の内部に摺動自在に嵌挿され、前記ラック歯７ａを主脚５の溝形開口部に臨ませている。
【０００８】
前記桟部材４ａ及び踏桟４ｂは、概ね角筒状に形成されており、両端部を前記主脚５の溝部に臨ませた状態で、該主脚５の両外側面に固着されており、下面に平行する２条のリブ１２を設けている。桟部材４ａは、ブラケット１０ａを介して固着され、踏桟４ｂは、ブラケット１０ｂを介して固着されている。
【０００９】
伸縮ロック機構９は、前記ラック歯７ａと、これに係脱自在に係止する係止歯１６を備えた係止レバー１４により構成され、係止レバー１４は、前記固定部８に枢軸１３を介して正逆回動方向に揺動自在に軸支され、該係止レバー１４を正転方向に弾発付勢するスプリング１５を設けている。
【００１０】
前記係止レバー１４は、前記枢軸１３に軸支された軸受部から前記ラック７に向けて延びるアームの前面に前記係止歯１６を設けると共に、アームの反対側に桟部材４ａの下側に向けて延びる尾部１７を設けている。
【００１１】
前記スプリング１５は、係止レバー１４の両側に位置して前記枢軸１３に外挿される一対のコイル部と、両コイル部の一端部から延びて門形に連結された付勢部１８と、他端部から延びる弾支部１９を備えており、前記付勢部１８を係止レバー１４の尾部１７の上面に当接すると共に、前記弾支部１９を桟部材４ａの下面により構成された受面２０に弾接している。
【００１２】
これにより、図２に示すように、係止レバー１４は、スプリング１５により図示矢印Ｄで示すように押し下げられることにより、正転方向Ａ１に向けて回動付勢され、係止歯１６をラック７のラック歯７ａに係止する。そこで、作業者が指先等で前記尾部１７をスプリングに抗して矢印Ｕで示すように押し上げると、係止レバー１４が逆転方向Ａ２に回動することにより、前記係止歯１８をラック歯７ａから離脱する。
【先行技術文献】
【特許文献】
【００１３】
【特許文献１】特開２０１１−２２６０６１号公報
【発明の概要】
【発明が解決しようとする課題】
【００１４】
伸縮脚装置は、係止歯１６をラック歯７ａに係脱自在に係止する伸縮ロック機構９を設けることにより、主脚５に対して伸縮脚６の伸縮を可能にすると共に、所定の伸縮位置で伸縮脚６のロックを可能にする。このため、高所作業装置の作業高さ位置を任意に選択することができ、しかも、伸縮脚を収縮させて主脚に格納した状態で、コンパクトに運搬・保管できる便利がある。
【００１５】
ところで、上述のように、伸縮ロック機構９は、伸縮脚６の長手方向に列設されたラック歯７ａに係止レバー１４の係止歯１６を係脱自在に係止することにより伸縮脚６を固定する構成とされている。従って、伸縮脚６の伸縮ストロークを確保するためには、つまり、伸縮脚６の最大伸長状態と最小収縮状態の何れにおいても係止歯１６をラック歯７ａに係脱可能とするように構成するためには、係止レバー１４を主脚５の下端近傍に設けることが必要条件となる。
【００１６】
しかしながら、その結果、作業者は、伸縮脚６を伸縮させるために伸縮ロック機構９のロックを解除するときは、脚柱１ｃの下端近傍位置に配設された係止レバー１４を操作する必要がある。従って、作業者は、係止レバー１４を操作する都度、高所作業台を持ち上げるか又は自らが低い姿勢とすることを強いられ、煩雑な作業を余儀なくされる。しかも、このような煩雑な作業を複数本の脚柱１ｃの全てについて行う必要がある。
【００１７】
本発明は、上記に鑑み、高所作業台の低位置に配設された伸縮ロック機構の係脱動作を高位置で遠隔操作可能とした操作装置を提供することを主要な課題としている。
【課題を解決するための手段】
【００１８】
そこで、上記課題を解決するために本発明が手段として構成したところは、高所作業装置の主脚に沿って摺動自在な伸縮脚を設けた伸縮脚装置において、伸縮ロック機構と、該伸縮ロック機構を作動させる操作装置を備えており、前記伸縮ロック機構は、前記伸縮脚の摺動方向に延設された溝部に設けられた多数のラック歯と、前記主脚の下端近傍の固定部に配設されると共に前記ラック歯に係脱自在な係止歯を備えた係止レバーとから成り、前記係止レバーの揺動を介して前記係止歯を前記ラック歯に係脱させるように構成されており、前記操作装置は、前記伸縮脚の溝部の開口側に位置して前記ラック歯に干渉しないように形成されたガイド通路と、該ガイド通路に摺動自在に嵌挿された長尺の操作体とから構成され、前記操作体は、前記伸縮脚の上端部よりも上方位置まで延びる該操作体の上端部に設けられた手動部と、前記係止レバーに臨む位置まで延びる該操作体の下端部に設けられた従動部により構成され、前記手動部を介して操作体をガイド通路に沿って上下方向に摺動したとき、前記従動部により前記係止レバーを揺動するように構成されて成る点にある。
【００１９】
本発明の好ましい実施形態は、前記係止レバーの揺動方向に関して、前記係止歯をラック歯に係止させる正転方向に該係止レバーを弾発付勢するスプリングを設けており、前記操作装置の従動部は、操作体を上下方向に摺動したとき、前記スプリングに抗して係止レバーを逆転方向に揺動するように構成されている。
【００２０】
本発明の第１実施形態は、高所作業装置の主脚に沿って摺動自在な伸縮脚を設けた伸縮脚装置において、伸縮ロック機構と、該伸縮ロック機構を作動させる操作装置を備えており、前記伸縮ロック機構は、前記伸縮脚の摺動方向に延設された溝部に設けられた多数のラック歯と、前記主脚の下端近傍の固定部に配設されると共に前記ラック歯に係脱自在な係止歯を備えた係止レバーにより構成され、前記係止レバーは、前記固定部に枢軸を介して揺動自在に軸支され、スプリングを介して前記係止歯をラック歯に係止させる正転方向に弾発付勢されると共に、上向きの力を受けたとき該係止レバーを逆転させる上動時解除部を設けており、前記操作装置は、前記伸縮脚の溝部の開口側に位置して前記ラック歯に干渉しないように形成されたガイド通路と、該ガイド通路に摺動自在に嵌挿された長尺の操作体とから構成され、前記操作体は、前記伸縮脚の上端部よりも上方位置まで延びる該操作体の上端部に設けられた手動部と、前記係止レバーに臨む位置まで延びる該操作体の下端部に設けられた従動部により構成され、前記従動部は、前記係止レバーの枢軸の下側に臨む空間部と、前記係止レバーの上動時解除部の下側に臨む押上作動部を備え、前記手動部を介して操作体をガイド通路に沿って上向きに摺動したとき、前記空間部が枢軸に対して上動すると共に、前記押上作動部が上動時解除部を押上げることにより係止レバーを逆転させるように構成されている。
【００２１】
本発明の第２実施形態は、高所作業装置の主脚に沿って摺動自在な伸縮脚を設けた伸縮脚装置において、伸縮ロック機構と、該伸縮ロック機構を作動させる操作装置を備えており、前記伸縮ロック機構は、前記伸縮脚の摺動方向に延設された溝部に設けられた多数のラック歯と、前記主脚の下端近傍の固定部に配設されると共に前記ラック歯に係脱自在な係止歯を備えた係止レバーにより構成され、前記係止レバーは、前記固定部に枢軸を介して揺動自在に軸支され、スプリングを介して前記係止歯をラック歯に係止させる正転方向に弾発付勢されると共に、下向きの力を受けたとき該係止レバーを逆転させる下動時解除部を設けており、前記操作装置は、前記伸縮脚の溝部の開口側に位置して前記ラック歯に干渉しないように形成されたガイド通路と、該ガイド通路に摺動自在に嵌挿された長尺の操作体とから構成され、前記操作体は、前記伸縮脚の上端部よりも上方位置まで延びる該操作体の上端部に設けられた手動部と、前記係止レバーに臨む位置まで延びる該操作体の下端部に設けられた従動部により構成され、前記従動部は、前記係止レバーの下動時解除部の上側に臨む押下作動部を備え、前記手動部を介して操作体をガイド通路に沿って上向きに摺動したとき、前記押下作動部が下動時解除部を押下げることにより係止レバーを逆転させるように構成されている。
【発明の効果】
【００２２】
本発明によれば、高所作業台の低位置に配設された伸縮ロック機構４０の係脱動作を高位置で遠隔操作可能とした操作装置４９が提供されるので、作業者が伸縮脚３２を伸縮させるために伸縮ロック機構４０のロックを解除するとき、高所作業台を持ち上げたり、自身が低い姿勢としたりするような必要がなく、簡単容易に作業を行うことができる効果がある。
【００２３】
特に、遠隔操作を可能とする操作体３９の上下動は、伸縮脚３２のガイド通路３７により案内されているので、伸縮脚３２に対するガタツキのないスムースな摺動が可能であり、しかも、操作体３９と伸縮脚３２の相互間においてガタツキのない摺動が確保されているので、伸縮ロック機構４０のロックを解除した状態で、伸縮脚３２を主脚３１に対して伸縮させる場合にも、伸縮脚３２は、主脚３１に案内されるだけでなく、内側においてガイド通路３７を介して長尺の操作体３９により案内され、これにより、伸縮脚３２のスムースな摺動を可能にする。更に、伸縮脚３２を最大長さまで伸長させたとき、伸縮脚３２は、主脚３１との間で保持されているだけでなく、ガイド通路３７に挿通された操作体３９によっても保持されているので、該操作体３９が補強骨として機能し、伸縮脚３２の剛性に貢献することができる。
【図面の簡単な説明】
【００２４】
【図１】高所作業装置の１例としての脚立を示しており、従来の一般的な伸縮脚装置と伸縮ロック機構を備えた脚立を示す斜視図である。
【図２】図１の矢印Ｅで示す部分を拡大して示す断面図である。
【図３】本発明の第１実施形態に関して、伸縮脚装置と、伸縮ロック機構と、操作装置の構成部品を分解状態で示す斜視図である。
【図４】第１実施形態の構成と作用に関して、伸縮ロック機構をロックした状態を示し、（Ａ）は全体の縦断面図、（Ｂ）はＡ−Ａ線断面図、（Ｃ）はＢ−Ｂ線断面図、（Ｄ）は伸縮脚の溝部を示す拡大断面図である。
【図５】前記ロック状態の拡大図を示しており、（Ａ）は操作装置の従動部を示す斜視図、（Ｂ）は従動部と係止レバーの関係を示す斜視図、（Ｃ）は従動部と係止レバーの関係を示す断面図である。
【図６】第１実施形態の作用に関して、伸縮ロック機構のロックを解除した状態を示し、（Ａ）は全体の縦断面図、（Ｂ）は操作装置の従動部と係止レバーの関係を示す斜視図、（Ｃ）は操作装置の従動部と係止レバーの関係を示す断面図である。
【図７】第１実施形態において、操作装置によらずに伸縮ロック機構のロックを解除する方法を示す断面図である。
【図８】本発明の第２実施形態に関して、伸縮脚装置と、伸縮ロック機構と、操作装置の構成部品を分解状態で示す斜視図である。
【図９】第２実施形態の構成と作用に関して、伸縮ロック機構をロックした状態を示し、（Ａ）は全体の縦断面図、（Ｂ）はＣ−Ｃ線断面図、（Ｃ）は操作装置の従動部と係止レバーの関係を示す断面図である。
【図１０】第２実施形態の作用に関して、伸縮ロック機構のロックを解除した状態を示し、（Ａ）は全体の縦断面図、（Ｂ）は操作装置の手動部の操作方法を示す側面図、（Ｃ）は操作装置の従動部と係止レバーの関係を示す断面図である。
【図１１】第２実施形態において、操作装置によらずに伸縮ロック機構のロックを解除する方法を示す断面図である。
【発明を実施するための形態】
【００２５】
以下図面に基づいて本発明の代表的な実施形態を詳述する。
【００２６】
（伸縮脚装置）
伸縮脚装置は、図１及び図２に示した脚柱１ｃと同様の脚立等の高所作業装置の脚柱３０を提供し、主脚３１と、該主脚３１に摺動自在に嵌挿された伸縮脚３２により構成されており、主脚３１の下端近傍位置にブラケット３３ａを介して桟部材３４ａを固着し、上方の所定高さ位置にブラケット３３ｂを介して踏桟３４ｂを固着している。
【００２７】
図面は、図３ないし図７に本発明の第１実施形態を示し、図８ないし図１１に本発明の第２実施形態を示しているが、主脚３１及び伸縮脚３２は、共通の構成とされているので、この点について説明する。
【００２８】
図４（Ｃ）及び図４（Ｄ）に断面を示すように、主脚３１及び伸縮脚３２は、アルミニウム等の押出部材により形成されており、主脚３１は、断面溝形の溝形部材により構成され、伸縮脚３２は、主脚３１に摺動自在に嵌挿される中空部材により構成されている。
【００２９】
伸縮脚３２は、主脚３１の溝開口部が臨む側面に向けて開口する溝部３５を形成しており、該溝部３５の底部側に収納路３６を形成すると共に、開口側にガイド通路３７を形成している。収納路３６とガイド通路３７の間には溝部３５の両側壁から対向するリブ３５ａが突設され、ガイド通路３７の開口縁から対向するリップ３５ｂが突設されている。
【００３０】
図４（Ｃ）に示すように、前記収納路３６には、長手方向に多数のラック歯３８ａを設けた帯板状のラック３８が装入され、該ラック３８の適宜個所を収納路３６の溝底部にリベット等で固着され、ラック歯３８ａをガイド通路３７に向けて臨まされる。この際、前記ラック歯３８ａは、収納路３６の内部に納められており、ガイド通路３７に進入しないように構成されている。
【００３１】
前記ガイド通路３７には、後述する操作装置を構成する長尺の操作体３９が摺動自在に嵌挿され、操作体３９の両側に突設したリブ状の係止レール３９ａを前記リブ３５ａとリップ３５ｂの間に形成された副溝３５ｃに摺動自在に嵌挿される。
【００３２】
（第１実施形態）
図３ないし図７に示す第１実施形態において、伸縮ロック機構４０は、前記伸縮脚３２に設けられたラック歯３８ａ付きのラック３８と、該ラック歯３８ａに係脱自在な係止歯４１を備えた係止レバー４２により構成されている。
【００３３】
係止レバー４２は、桟部材３４ａを固定するためのブラケット３３ａにより構成された固定部４３に対して、枢軸４４を介して正逆回転方向に揺動自在に軸支され、係止歯４１をラック歯３８ａに臨ませ、正転方向に揺動することにより係止歯４１をラック歯３８ａに係止し、逆転方向に揺動することにより係止歯４１をラック歯３８ａから離脱するように構成されている。
【００３４】
図示実施形態の場合、係止レバー４２は、スプリング４５により正転方向に付勢されており、スプリング４５は、係止レバー４２の両側に位置して前記枢軸４４に外挿される一対のコイル部と、両コイル部の一端部から延びて門形に連結された付勢部４６と、他端部から延びる弾支部４７を備えており、前記付勢部４６を係止レバー４２の尾部４８の上面に当接すると共に、前記弾支部４７を桟部材３４ａの下面に弾接している。これにより、係止レバー４２は、常時は、係止歯４１をラック歯３８ａに係止するように回動付勢されており、前記尾部４８にピンを挿通することにより、該尾部４８の両側に突出する上動時解除部４２ａを形成している。上動時解除部４２ａは、上向きの力を受けたとき、スプリング４５に抗して係止レバー４２を逆転方向に揺動させ、係止歯４１をラック歯３８ａから離脱させる。
【００３５】
そこで、脚柱３０の上方位置から操作することにより、前記係止レバー４２をスプリング４５に抗して逆転方向に揺動させ、係止歯４１をラック歯３８ａから離脱させるための操作装置４９が設けられている。
【００３６】
操作装置４９は、上述したような伸縮脚３２に設けられたガイド通路３７と、該ガイド通路３７に摺動自在に嵌挿された長尺の操作体３９を含み、操作体３９の上端部に設けられた手動部５０と、下端部に設けられた従動部５１により構成されている。
【００３７】
伸縮ロック機構４０の係脱動作を高位置から遠隔操作可能にするため、操作体３９は、アルミニウム等の押出により図４に示すような断面形状を有する中空の長尺部材により構成されており、前記ガイド通路３７に嵌挿された状態で、下端部の前記従動部５１を係止レバー４２に臨ませると共に、上端部を伸縮脚３２から上向きに挿出させ、手動部５０を所望の高さ位置に配設している。
【００３８】
そこで、伸縮脚３２から挿出された操作体３９の上側部分を保持するため、伸縮脚３２の上端部に装着されたキャップ部材５２に前記ガイド通路３７に連通する挿通孔５３が設けられ、更に、手動部５０の近傍部に位置して伸縮脚３２を摺動自在に保持する保持部材５４が設けられている。図示実施形態の場合、保持部材５４は、伸縮脚３２を構成する押出部材を短尺体として切断することにより形成され、従って、図４（Ｂ）に示すように、前記ガイド通路３７に対応する保持通路を備えており、主脚３１に内嵌された状態でリベットその他の固着具５５により固着されている。
【００３９】
これにより、操作体３９は、伸縮脚３２のガイド通路３７に上下方向摺動自在に嵌挿されると共に、伸縮脚３２からの挿出部分を前記キャップ部材５２の挿通路５３と保持部材５４の保持通路により上下方向摺動自在に保持される。
【００４０】
前記手動部５０は、作業者が手指で保持するに適した形状の頭部５６を備え、前記操作体３９を構成する中空の押出材の上端部に脚部５７を挿着しており、前記頭部５６の下側にストッパ５８を設けている。これにより、常時は、ストッパ５８が保持部材５４の上端に当接し、操作体３９が自重で下動することを防止する。
【００４１】
前記従動部５１は、係止レバー４２とラック３８のラック歯３８ａとの間に介装された状態で、係止歯４１をラック歯３８ａに向けて進退可能とするための開口窓５９を備えると共に、該開口窓５９の両側から係止レバー４２の両側に沿って延設された一対のアーム６０を設けており、該アーム６０には、係止レバー４２の枢軸４４の下側に臨む切欠き等から成る空間部６１と、前記上動時解除部４２ａの下側に臨む押上作動部６２ａが形成されている。
【００４２】
（作用）
図４（Ａ）及び図５（Ｂ）（Ｃ）は、伸縮ロック機構４０のロック状態を示している。この状態で、係止レバー４２は、スプリング４５により正転方向に付勢され、係止歯４１をラック歯３８ａに係止しており、主脚３１に対して伸縮脚３２を伸縮不能にロックしている。
【００４３】
操作装置４９は、手動部５０のストッパ５８を保持部材５４に当接することにより、操作体３９を吊持しており、従動部５１の押上作動部６２ａを上動時解除部４２ａの下方に位置させている。
【００４４】
この状態から伸縮ロック機構４０のロックを解除する際は、操作装置４９により高位置に配置された手動部５０を持ち上げれば良い。図６に示すように、作業者が手動部５０の頭部５６を引き上げることにより操作体３９を上動させると、同時に従動部５１が引き上げられる。従動部５１は、空間部６１を介して枢軸４４に干渉することなく引き上げられ、押上作動部６２ａにより係止レバー４２の上動時解除部４２ａを押上げるので、これにより係止レバー４２がスプリング４５に抗して逆転方向に揺動させられ、係止歯４１をラック歯３８ａから離脱する。
【００４５】
これにより、伸縮脚３２は、主脚３１に対して伸縮自在とされる。従って、手動部５０の引き上げを保持した状態で、伸縮脚３２を任意の長さとなるまで伸縮させることができ、その後、手動部５０の引き上げ力を解放すれば、係止レバー４２がスプリング４５により正転方向に揺動させられ自動的に元の位置に復帰し、係止歯４１をラック歯３８ａに係止することにより、伸縮ロック機構４０を再びロックする。
【００４６】
因みに、係止レバー４２は、上述のような操作装置４９による遠隔操作の他、図７に示すように、作業者が指先等を一対のアーム６０の間から係止レバー４２の尾部４８に向けて挿入し、直接、係止レバー４２を逆転方向に揺動させることも可能であり、状況に応じて、遠隔操作によるロック解除と、直接操作によるロック解除を選択することができる。
【００４７】
上述のような操作体３９の上下動は、伸縮脚３２のガイド通路３７と、キャップ部材５２の挿通路５３並びに保持部材５４の保持通路により案内されているので、伸縮脚３２に対するガタツキのないスムースな摺動が可能とされている。
【００４８】
このように、操作体３９と伸縮脚３２の相互間においてガタツキのない摺動が確保されているので、伸縮ロック機構４０のロックを解除した状態で、伸縮脚３２を主脚３１に対して伸縮させる場合にも、伸縮脚３２は、外側を主脚３１に案内されるだけでなく、内側においてガイド通路３７を介して長尺の操作体３９により案内され、これにより、伸縮脚３２のスムースな摺動を可能とする。
【００４９】
更に、伸縮脚３２を最大長さまで伸長させたとき、伸縮脚３２は、主脚３１に内嵌された上端部分を該主脚３１の内側面により保持されるだけでなく、ガイド通路３７に挿通された操作体３９により保持されているので、該操作体３９が補強骨として機能し、伸縮脚３２の剛性に貢献する。
【００５０】
（第２実施形態）
図８ないし図１１に示す第２実施形態は、基本的に上述の第１実施形態と同様の構成に基づいているが、伸縮ロック機構４０のロック解除に関して、第１実施形態が操作体３９を引き上げることによりロックを解除するのに対して、第２実施形態は、操作体３９を押下げることによりロックを解除するように構成しており、この点で相違している。従って、第１実施形態と同じ技術的構成に関しては、上記と同じ符号で図示することにより、上述の説明を援用し、以下、相違点について説明する。
【００５１】
操作装置４９は、操作体３９の手動部５０を押下げ、従動部５１を下動することにより係止レバー４２を逆転方向に揺動させる構成とされており、手動部５０の押下げを容易に行わせるため、手動部５０に板状部６３を設けると共に、該手動部５０の直下に位置して板金製の保持部材５４を主脚３１に取付けている。
【００５２】
前記保持部材５４は、図９（Ｂ）に示すように、主脚３１に内嵌されると共にリベットその他の固着具を介して固着され、両側壁から内側に折曲された一対の爪片６４ａと、前面壁から内側に折曲された一対の爪片６４ｂにより、伸縮脚３２のガイド通路３７と同一軸線上に配置された保持通路を形成し、該保持通路に操作体３９を嵌挿することにより、操作体３９を摺動自在に保持する。そこで、保持部材５４の上縁から折曲された板状の指掛け部６５が延設され、該指掛け部６５を手動部５０の板状部６３の直下に隙間を介して配置させている。
【００５３】
そこで、伸縮ロック機構４０のロックを解除するため、作業者が手動部５０を押下げる際は、図１０（Ｂ）に示すように、板状部６３の上面に沿わせた指先と、指掛け部６５の下面に沿わせた指先により、該板状部６３と指掛け部６５を挟持すれば良く、これにより、簡単容易に手動部５０を押し下げることができるように構成している。
【００５４】
係止レバー４２は、係止歯４１の上方位置に延びるアーム状の下動時解除部４２ｂを設けている。下動時解除部４２ｂは、係止レバー４２と一体に形成され、下向きの力を受けたとき、スプリング４５に抗して係止レバー４２を逆転方向に揺動させ、係止歯４１をラック歯３８ａから離脱させる。
【００５５】
前記従動部５１は、操作体３９の下端に装着したキャップ部材を前記下動時解除部４２ｂの上面に臨ませることにより押下作動部６２ｂを形成し、図示実施形態の場合、該押下作動部６２ｂを下動時解除部４２ｂに載置させている。この際、操作体３９の自重により、押下作動部６２ｂが下動時解除部４２ｂに下向きの力を与えるが、スプリング４５の付勢力が勝っており、係止レバー４２が逆転方向に揺動することはない。
【００５６】
（作用）
図９（Ａ）及び図９（Ｃ）は、伸縮ロック機構４０のロック状態を示している。この状態で、係止レバー４２は、スプリング４５により正転方向に付勢され、係止歯４１をラック歯３８ａに係止しており、主脚３１に対して伸縮脚３２を伸縮不能にロックしている。
【００５７】
操作装置４９は、従動部５１の押下作動部６２ｂを係止レバー４２の下動時解除部４２ｂに載置した状態で、手動部５０の板状部６３を指掛け部６５の上方に僅かに離間させた状態で停止している。
【００５８】
この状態から伸縮ロック機構４０のロックを解除する際は、操作装置４９により高位置に配置された手動部５０を押下げれば良い。上述のように指先で板状部６３と指掛け部６５を挟持すれば、手動部５０が簡単容易に押し下げられる。これと同時に、従動部５１が押下げられ、押下作動部６２ｂが係止レバー４２の下動時解除部４２ｂを押下するので、これにより係止レバー４２がスプリング４５に抗して逆転方向に揺動させられ、係止歯４１をラック歯３８ａから離脱する。
【００５９】
これにより、伸縮脚３２は、主脚３１に対して伸縮自在とされる。従って、手動部５０の押下げを保持した状態で、伸縮脚３２を任意の長さとなるまで伸縮させることができ、その後、手動部５０の押下げ力を解放すれば、係止レバー４２がスプリング４５により正転方向に揺動させられ自動的に元の位置に復帰し、係止歯４１をラック歯３８ａに係止することにより、伸縮ロック機構４０を再びロックする。
【００６０】
因みに、係止レバー４２は、上述のような操作装置４９による遠隔操作の他、図１１に示すように、作業者が指先等を係止レバー４２の尾部４８に向けて挿入し、直接、係止レバー４２を逆転方向に揺動させることも可能であり、状況に応じて、遠隔操作によるロック解除と、直接操作によるロック解除を選択することができる。
【００６１】
（その他の実施形態）
本発明が図示の実施形態に限定されないことは勿論であり、上記実施形態では、係止レバー４２をスプリング４５で正転方向に付勢し、常時は、係止歯４１をラック歯３８ａに係止させる構成を説明したが、このようなスプリング４５を設けることなく、操作体３９の従動部５１を係止レバー４２の正逆回転の両方向に連動させ、伸縮ロック機構４０のロックとロック解除を何れも操作体３９により行わせるように構成しても良い。
【００６２】
例えば、上記第１実施形態の場合、従動部５１の押上作動部６２ａと係止レバー４２の上動時解除部４２ａをリンク等で連結し、操作体３９を上動したとき係止レバー４２を逆転方向に揺動させ、操作体３９を下動したとき係止レバー４２を正転方向に揺動させるように構成しても良く、その場合、操作体３９それ自体を下動方向、つまり、伸縮ロック機構４０をロックさせる方向に付勢する別のスプリングを設けても良い。
【００６３】
また、上記第２実施形態の場合、従動部５１の押下作動部６２ｂと係止レバー４２の下動時解除部４２ｂをリンク等で連結し、操作体３９を下動したとき係止レバー４２を逆転方向に揺動させ、操作体３９を上動したとき係止レバー４２を正転方向に揺動させるように構成しても良く、その場合、操作体３９それ自体を上動方向、つまり、伸縮ロック機構４０をロックさせる方向に付勢する別のスプリングを設けても良い。
【符号の説明】
【００６４】
１ａ  第１主脚
１ｂ  第２主脚
１ｃ  脚柱
２  開き止め装置
３  天板
４ａ  桟部材
４ｂ  踏桟
５  主脚
６  伸縮脚
７  ラック
７ａ  ラック歯
８  固定部
９  伸縮ロック機構
１０ａ、１０ｂ  ブラケット
１１  ガイド筒
１２  リブ
１３  枢軸
１４  係止レバー
１５  スプリング
１６  係止歯
１７  尾部
１８  付勢部
１９  弾支部
２０  受面
３０  脚柱
３１  主脚
３２  伸縮脚
３３ａ、３３ｂ  ブラケット
３４ａ  桟部材
３４ｂ  踏桟
３５  溝部
３５ａ  リブ
３５ｂ  リップ
３５ｃ  副溝
３６  収納路
３７  ガイド通路
３８  ラック
３８ａ  ラック歯
３９  操作体
３９ａ  係止レール
４０  伸縮ロック機構
４１  係止歯
４２  係止レバー
４２ａ  上動時解除部
４２ｂ  下動時解除部
４３  固定部
４４  枢軸
４５  スプリング
４６  付勢部
４７  弾支部
４８  尾部
４９  操作装置
５０  手動部
５１  従動部
５２  キャップ部材
５３  挿通孔
５４  保持部材
５５  固着具
５６  頭部
５７  脚部
５８  ストッパ
５９  開口窓
６０  アーム
６１  空間部
６２ａ  押上作動部
６２ｂ  押下作動部
６３  板状部
６４ａ、６４ｂ  爪片
６５  指掛け部
【図１】
2018012922.tif 000003
【図２】
2018012922.tif 000004
【図３】
2018012922.tif 000005
【図４】
2018012922.tif 000006
【図５】
2018012922.tif 000007
【図６】
2018012922.tif 000008
【図７】
2018012922.tif 000009
【図８】
2018012922.tif 000010
【図９】
2018012922.tif 000011
【図１０】
2018012922.tif 000012
【図１１】
2018012922.tif 000013